(57)【要約】【課題】高密度の撮像素子に適した高性能で小型の撮像レンズを提供する。【解決手段】物体側から像面側に向けて順に、物体側に凸面を向けた負の屈折率を有する第１レンズ１、第１レンズ１に接合され物体側に凸面を向けた正の屈折力を有する第２レンズ２、シャッタＳＴ、所定の口径をなす開口絞りＡＰ、物体側に凹面を向けた正の屈折力を有する第３レンズ３、負の屈折力を有する第４レンズ４が配列される。このように、３群４枚構成を採用したことにより、諸収差特に色収差を良好に補正でき、かつ適切なバックフォーカスを確保でき、レンズ系の全長を短縮でき、小型、薄型で光学性能の高い撮像レンズを得ることができる。【選択図】図１
2006309043.tif 000002
【特許請求の範囲】
【請求項１】
物体側から像面側に向けて順に配列された、
物体側に凸面を向けた負の屈折率を有する第１レンズと、
前記第１レンズに接合され物体側に凸面を向けた正の屈折力を有する第２レンズと、
所定の口径をなす開口絞りと、
物体側に凹面を向けた正の屈折力を有する第３レンズと、
負の屈折力を有する第４レンズと、
からなることを特徴とする撮像レンズ。
【請求項２】
前記第３レンズ及び第４レンズは、物体側及び像面側の両面に非球面を有する、
ことを特徴とする請求項１記載の撮像レンズ。
【請求項３】
前記第４レンズの物体側及び像面側の両非球面は、途中に変曲点をもつように形成されている、
ことを特徴とする請求項２記載の撮像レンズ。
【請求項４】
前記第３レンズの物体側及び像面側の両非球面は、周辺部に向かうに連れて屈折力が弱くなるように形成されている、
ことを特徴とする請求項２又は３に記載の撮像レンズ。
【請求項５】
前記第３レンズ及び第４レンズは、樹脂材料により形成されている、
ことを特徴とする請求項１ないし４いずれか一つに記載の撮像レンズ。
【請求項６】
レンズ系の焦点距離をｆ、前記第１レンズの物体側の面から像面までのレンズ系の全長をＴＬ（空気換算）とするとき、下記条件式（１）、
（１）ＴＬ／ｆ＜１．３
を満足することを特徴とする請求項１ないし５いずれか一つに記載の撮像レンズ。
【請求項７】
前記第１レンズのアッベ数をν１、前記第２レンズのアッベ数をν２、前記第１レンズと第２レンズの接合面の曲率半径をＲ２、レンズ系の焦点距離をｆとするとき、下記条件式（２），（３）、
（２）２０＜│ν２−ν１│＜４５
（３）０．２５＜Ｒ２／ｆ＜０．４
を満足することを特徴とする請求項１ないし６いずれか一つに記載の撮像レンズ。
【請求項８】
前記第３レンズの物体側の面の曲率半径をＲ６及び像面側の面の曲率半径をＲ７、前記第４レンズの物体側の面の曲率半径をＲ８及び像面側の面の曲率半径をＲ９とするとき、下記条件式（４），（５）、
（４）１＜│Ｒ６│／│Ｒ７│＜２
（５）│Ｒ８│／│Ｒ９│＞６
を満足することを特徴とする請求項１ないし７いずれか一つに記載の撮像レンズ。
【請求項９】
前記第３レンズの焦点距離をｆ３、前記第４レンズの焦点距離をｆ４、レンズ系の焦点距離をｆとするとき、下記条件式（６），（７）、
（６）０．３＜ｆ３／ｆ＜０．８
（７）−１＜ｆ４／ｆ＜−０．４
を満足することを特徴とする請求項１ないし８いずれか一つに記載の撮像レンズ。
【発明の詳細な説明】
【技術分野】
【０００１】
本発明は、ＣＣＤ等の固体撮像素子を用いたデジタルスチルカメラ等に使用される小型の撮像レンズに関し、特に、携帯電話機、ＰＤＡ、携帯型パーソナルコンピュータ等のモバイルカメラ、あるいは、デジタルスチルカメラ、デジタルビデオカメラ等に適用される小型の撮像レンズに関する。
【背景技術】
【０００２】
近年、デジタルスチルカメラ等の普及に伴い、電子撮像装置に用いられる撮像レンズとしては、高性能、コンパクト化の要求が強くなってきている。例えば、高性能、コンパクト化を満たすレンズ構成の多くは、テレセントリック性を考慮した射出角度の小さいレンズタイプを採用している。
一方、従来の撮像素子では、光線の射出角度による制約を受けて、撮像レンズをそれ程薄くすることはできなかったが、マイクロレンズを工夫することにより、光線の射出角度が２０度以上でも使用できるようになってきた。したがって、このようなマイクロレンズをもつ撮像素子に適した、より小型及び薄型で高解像度の撮像レンズが要望されている。
ところで、従来の撮像レンズとしては、３群３枚構成を採用して薄型化（レンズ系の全長の短縮化）を図ったものが知られているが、４００万画素以上の高密度の撮像素子に適した高い光学性能（高性能）をもつものではなかった（例えば、特許文献１、特許文献２参照）。
【０００３】
【特許文献１】特開２００４−２１２４６７号公報
【特許文献２】特開２００４−２４００７４号公報
【発明の開示】
【発明が解決しようとする課題】
【０００４】
本発明は、上記の事情に艦みて成されたものであり、その目的とするところは、小型化、薄型化、軽量化等を図りつつ、携帯電話機、ＰＤＡ等のモバイルカメラ、デジタルスチルカメラ、デジタルビデオカメラ等に搭載される４００万画素以上の高密度な撮像素子に適した高性能な撮像レンズを提供することにある。
【課題を解決するための手段】
【０００５】
本発明の撮像レンズは、物体側から像面側に向けて順に配列された、物体側に凸面を向けた負の屈折率を有する第１レンズと、第１レンズに接合され物体側に凸面を向けた正の屈折力を有する第２レンズと、所定の口径をなす開口絞りと、物体側に凹面を向けた正の屈折力を有する第３レンズと、負の屈折力を有する第４レンズと、からなることを特徴としている。
この構成によれば、正レンズ（第１レンズ）と負レンズ（第２レンズ）とを接合し、その後方に、開口絞り、正レンズ（第３レンズ）、負レンズ（第４レンズ）を配置した３群４枚構成を採用したことにより、諸収差特に色収差を良好に補正でき、かつ適切なバックフォーカスを確保でき、レンズ系の全長を短縮でき、小型、薄型で光学性能の高い撮像レンズを得ることができる。
【０００６】
上記構成において、第３レンズ及び第４レンズは、物体側及び像面側の両面に非球面を有する、構成を採用することができる。
この構成によれば、レンズ系の全長が短くなる（小型化及び薄型化される）に連れて各収差の補正が困難になり又射出角度も大きくなる点を有効に改善しつつ、光線の射出角度が２３度以下で、諸収差が良好に補正され、高密度の撮像素子に適した撮像レンズを得ることができる。
【０００７】
上記構成において、第４レンズの物体側及び像面側の両非球面は、途中に変曲点をもつように形成されている、構成を採用することができる。
この構成によれば、非球面の有効径の範囲内において、径方向外側（周辺部）に向かう途中に凹状から凸状に曲率の向きが変わる変曲点を設けることにより、諸収差、特に非点収差、歪曲収差を良好に補正しつつ、射出角度を小さくすることができる。
【０００８】
上記構成において、第３レンズの物体側及び像面側の両非球面は、周辺部に向かうに連れて屈折力が弱くなるように形成されている、構成を採用することができる。
この構成によれば、諸収差、特に非点収差、コマ収差を容易にかつ良好に補正することができる。
【０００９】
上記構成において、第３レンズ及び第４レンズは、樹脂材料により形成されている、構成を採用することができる。
この構成によれば、第３レンズ及び第４レンズを樹脂材料により形成することにより、生産コストを低減でき、軽量化できる。また、樹脂材料を用いる場合、射出成型によりレンズを形成することで、変曲点をもつ湾曲面（非球面）等の複雑な形状を容易に形成することができる。
【００１０】
上記構成において、レンズ系の焦点距離をｆ、第１レンズの物体側の面から像面までのレンズ系の全長をＴＬ（空気換算）とするとき、次の条件式（１）、
（１）ＴＬ／ｆ＜１．３
を満足する、構成を採用することができる。
この構成によれば、レンズ系の焦点距離とレンズ系の全長との関係が条件式（１）を満たすように設定することにより、撮像レンズの小型化、薄型化を達成することができる。
【００１１】
上記構成において、第１レンズのアッベ数をν１、第２レンズのアッベ数をν２、第１レンズと第２レンズの接合面の曲率半径をＲ２、レンズ系の焦点距離をｆとするとき、次の条件式（２），（３）、
（２）２０＜│ν２−ν１│＜４５
（３）０．２５＜Ｒ２／ｆ＜０．４
を満足する、構成を採用することができる。
この構成によれば、第１レンズ及び第２レンズが条件式（２）を満たすことにより、色収差（軸上色収差、倍率色収差）を良好に補正することができ、又、第１レンズと第２レンズの接合面が条件式（３）を満たすことにより、非点収差、コマ収差、色収差を良好に補正することができる。
【００１２】
上記構成において、第３レンズの物体側の面の曲率半径をＲ６及び像面側の面の曲率半径をＲ７、第４レンズの物体側の面の曲率半径をＲ８及び像面側の面の曲率半径をＲ９とするとき、次の条件式（４），（５）、
（４）１＜│Ｒ６│／│Ｒ７│＜２
（５）│Ｒ８│／│Ｒ９│＞６
を満足する、構成を採用することができる。
この構成によれば、第３レンズ及び第４レンズが条件式（４），（５）を満たすことにより、適切な射出角度を確保しつつレンズ系の全長を短くでき、又、非点収差、歪曲収差、コマ収差を良好に補正することができる。
【００１３】
上記構成において、第３レンズの焦点距離をｆ３、第４レンズの焦点距離をｆ４、レンズ系の焦点距離をｆとするとき、次の条件式（６），（７）、
（６）０．３＜ｆ３／ｆ＜０．８
（７）−１＜ｆ４／ｆ＜−０．４
を満足する、構成を採用することができる。
この構成によれば、各レンズのパワー配置が適切になり、特に第３レンズが無理な形状になるのを防止でき、又、非点収差、歪曲収差、コマ収差、色収差を良好に補正することができる。
【発明の効果】
【００１４】
上記構成をなす撮像レンズによれば、３群４枚構成を採用することにより、小型化、薄型化、軽量化等が達成され、無限遠撮影から近距離撮影まで光学性能が良好で、４００万画素以上の高密度固体撮像素子に適した撮像レンズが得られる。したがって、この撮像レンズを、携帯電話機、ＰＤＡ等のモバイルカメラ、デジタルスチルカメラ、デジタルビデオカメラ等に適用すれば、当該光学機器の高性能化、高機能化、低コスト化、小型化等を達成することができる。
【発明を実施するための最良の形態】
【００１５】
以下、本発明の最良の実施形態について、添付図面を参照しつつ説明する。
図１及び図２は、本発明に係る撮像レンズの一実施形態を示すものであり、図１は概略構成図、図２は光路図である。
この撮像レンズは、図１に示すように、物体側から像面側に向けて順に配列された、物体側に凸面を向けた負の屈折率を有する第１レンズ１、第１レンズ１に接合され物体側に凸面を向けた正の屈折力を有する第２レンズ２、シャッタＳＴ、所定の口径をなす開口絞りＡＰ、物体側に凹面を向けた正の屈折力を有する第３レンズ３、負の屈折力を有する第４レンズ４により形成されている。
そして、第４レンズ４の後方に、赤外光カットフィルタあるいはローパスフィルター等のガラスフィルタ５，６が配置され、その後方に撮像素子の像面Ｐが配置されている。
【００１６】
ここで、第１レンズ１、第２レンズ２、シャッタＳＴ、開口絞りＡＰ、第３レンズ３、第４レンズ４、ガラスフィルタ５，６、像面Ｐが、光軸Ｌに沿って物体側から像面側に向けて順に配列される構成において、図１に示すように、それぞれの面をＳｉ（ｉ＝１〜１３）、それぞれの面Ｓｉの曲率半径をＲｉ（ｉ＝１〜１３）、ｄ線に対する屈折率をＮｉ（ｉ＝１〜６）及びアッベ数をνｉ（ｉ＝１〜６）、第１レンズ１〜像面Ｐまでのそれぞれの光軸Ｌ上における間隔（厚さ、空気間隔）をＤｉ（ｉ＝１〜１３）で表す。
また、レンズ系の焦点距離をｆ、第１レンズ１（の物体側の面Ｓ１）から像面Ｐまでのレンズ系の全長をＴＬ、第３レンズ３の焦点距離をｆ３、第４レンズ４の焦点距離をｆ４で表す。
【００１７】
第１レンズ１は、ガラス材料により形成され、負の屈折力を有するように、物体側の面Ｓ１が凸状をなしかつ像面側の面Ｓ２が凹状をなすメニスカス形状のレンズである。尚、物体側及び像面側の両面Ｓ１，Ｓ２は球面として形成されている。
第２レンズ２は、ガラス材料又は樹脂材料により形成され、正の屈折力を有するように、物体側の面Ｓ２が凸状をなしかつ像面側の面Ｓ３が凹状をなすメニスカス形状のレンズであり、第１レンズ１に接合されている。尚、物体側及び像面側の両面Ｓ２，Ｓ３は球面として形成されている。すなわち、第１レンズ１及び第２レンズ２により、接合レンズが形成されている。
【００１８】
第３レンズ３は、ガラス材料又は樹脂材料により、好ましくは樹脂材料により形成され、正の屈折率を有するように、物体側の面Ｓ６が凹状をなしかつ像面側の面Ｓ７が凸状をなすメニスカス形状のレンズである。また、物体側及び像面側の両面Ｓ６，Ｓ７は、好ましくは非球面として形成され、さらにこの非球面Ｓ６，Ｓ７は周辺部に向かうに連れて屈折力が弱くなるように形成されている。
【００１９】
第４レンズ４は、ガラス材料又は樹脂材料により、好ましくは樹脂材料により、負の屈折力を有するように形成されたレンズである。そして、第４レンズ４は、好ましくは、有効径の範囲内において、物体側の面Ｓ８が径方向外側に向かう途中において凹状から凸状に曲率が変化する変曲点をもつ非球面として形成され、かつ、像面側の面Ｓ９が径方向外側に向かう途中において凹状から凸状に曲率が変化する変曲点をもつ非球面として形成されている。
【００２０】
ここで、第３レンズ３及び第４レンズ４の非球面を表す式は、次式で規定される。
Ｚ＝Ｃｙ２／［１＋（１−εＣ２ｙ２）１／２］＋Ｄｙ４＋Ｅｙ６＋Ｆｙ８＋Ｇｙ１０＋Ｈｙ１２
ただし、Ｚ：非球面の頂点における接平面から，光軸Ｌからの高さがｙの非球面上の点までの距離、ｙ：光軸からの高さ、Ｃ：非球面の頂点における曲率（１／Ｒ）、ε：円錐定数、Ｄ，Ｅ，Ｆ，Ｇ，Ｈ：非球面係数である。
【００２１】
上記構成の撮像レンズでは、正レンズ（第１レンズ１）と負レンズ（第２レンズ２）とを接合し、その後方に、開口絞りＳＤ、正レンズ（第３レンズ３）、負レンズ（第４レンズ４）を配置した３群４枚構成を採用したことにより、諸収差特に色収差を良好に補正でき、かつ適切なバックフォーカスを確保でき、レンズ系の全長ＴＬを短縮でき、小型、薄型で光学性能の高い撮像レンズを得ることができる。
【００２２】
また、第３レンズ３及び第４レンズ４の物体側及び像面側の両面Ｓ６，Ｓ７，Ｓ８，Ｓ９を非球面とすることにより、レンズ系の全長ＴＬを短く（小型化及び薄型化）することで各収差の補正が困難になり又射出角度も大きくなる点を有効に改善しつつ、光線の射出角度を２３度以下に抑え、諸収差を良好に補正して、高密度の撮像素子に適した高い光学性能を得ることができる。
【００２３】
また、第３レンズ３の物体側及び像面側の両非球面Ｓ６，Ｓ７を、周辺部に向かうに連れて屈折力が弱くなるように形成することにより、諸収差、特に非点収差、コマ収差を容易にかつ良好に補正することができる。
【００２４】
また、第４レンズ４の物体側及び像面側の両非球面Ｓ８，Ｓ９を、途中に変曲点、すなわち、有効径の範囲内において、径方向外側（周辺部）に向かう途中に凹状から凸状に曲率の向きが変わる変曲点をもつように形成することにより、諸収差、特に非点収差、歪曲収差を良好に補正しつつ、射出角度を小さくすることができる。
【００２５】
さらに、第３レンズ３及び第４レンズ４を樹脂材料で形成することにより、生産コストを低減できると共に軽量化でき、又、射出成型によりレンズを形成することで、変曲点をもつ湾曲面（非球面）等の複雑な形状を容易に形成することができる。
【００２６】
上記構成においては、レンズ系の焦点距離ｆ、第１レンズ１の物体側の面Ｓ１から像面Ｐまでのレンズ系の全長ＴＬ（空気換算）が、好ましくは、次の条件式（１）、
（１）ＴＬ／ｆ＜１．３
を満足するように形成される。
条件式（１）は、レンズ系の焦点距離とレンズ系の全長との関係を規定するものであり、条件式（１）を満たすように設定することにより、撮像レンズの小型化、薄型化を達成することができる。
【００２７】
また、上記構成においては、第１レンズ１のアッベ数ν１、第２レンズ２のアッベ数ν２、第１レンズ１と第２レンズ２の接合面Ｓ２の曲率半径Ｒ２、レンズ系の焦点距離をｆが、好ましくは、次の条件式（２），（３）、
（２）２０＜│ν２−ν１│＜４５
（３）０．２５＜Ｒ２／ｆ＜０．４
を満足するように形成される。
第１レンズ１及び第２レンズ２が、条件式（２）を満たすことにより、色収差（軸上色収差、倍率色収差）を良好に補正することができ、又、第１レンズ１と第２レンズ２の接合面Ｓ２の曲率半径Ｒ２が、条件式（３）を満たすことにより、非点収差、コマ収差、色収差を良好に補正することができる。
【００２８】
また、上記構成においては、第３レンズ３の物体側の面Ｓ６の曲率半径Ｒ６及び像面側の面Ｓ７の曲率半径Ｒ７、第４レンズ４の物体側の面Ｓ８の曲率半径Ｒ８及び像面側の面Ｓ９の曲率半径Ｒ９が、好ましくは、次の条件式（４），（５）、
（４）１＜│Ｒ６│／│Ｒ７│＜２
（５）│Ｒ８│／│Ｒ９│＞６
を満足するように形成される。
第３レンズ３及び第４レンズ４が、条件式（４），（５）を満たすことにより、適切な射出角度を確保しつつレンズ系の全長ＴＬを短くでき、又、非点収差、歪曲収差、コマ収差を良好に補正することができる。
【００２９】
さらに、上記構成においては、第３レンズ３の焦点距離ｆ３、第４レンズ４の焦点距離ｆ４、レンズ系の焦点距離ｆが、好ましくは、次の条件式（６），（７）、
（６）０．３＜ｆ３／ｆ＜０．８
（７）−１＜ｆ４／ｆ＜−０．４
を満足するように形成される。
第３レンズ３及び第４レンズ４が、条件式（６），（７）を満たすことにより、各レンズのパワー配置が適切になり、特に第３レンズ３が無理な形状になるのを防止でき、又、非点収差、歪曲収差、コマ収差、色収差を良好に補正することができる。
【００３０】
次に、上記撮像レンズの具体的な数値による実施例を、実施例１、実施例２として以下に示す。
【実施例１】
【００３１】
実施例１における条件式（１）〜（７）の数値データ、第１レンズ１〜第４レンズ４の主な仕様諸元、種々の数値データ（設定値）は以下の通りである。
＜条件式の値＞
（１）ＴＬ／ｆ＝８．４４／６．７９＝１．２４
（２）│ν２−ν１│＝４７．４−１８．９＝２８．５
（３）Ｒ２／ｆ＝２．４５／６．７９＝０．３６
（４）│Ｒ６│／│Ｒ７│＝１．５９／１．０４＝１．５３
（５）│Ｒ８│／│Ｒ９│＝１５．８１／２．５０＝６．３２
（６）ｆ３／ｆ＝３．４６／６．７９＝０．５１
（７）ｆ４／ｆ＝−４．０２／６．７９＝−０．５９
【００３２】
＜仕様諸元＞
物体距離＝無限大、レンズ系の焦点距離（ｆ）＝６．７９ｍｍ、Ｆナンバー＝２．８０、射出瞳位置＝−５．１５ｍｍ、レンズ系の全長（ＴＬ）＝６．５１ｍｍ、バックフォーカス（空気換算）＝１．９３ｍｍ、画角（２ω）＝５４．３°、ディストーション（最大値）＝２．３５％
＜曲率半径＞
Ｒ１＝３．５１２ｍｍ、Ｒ２＝２．４５０ｍｍ、Ｒ３＝７．８６９、Ｒ４＝∞、Ｒ５＝∞、Ｒ６＝−１．５９４ｍｍ、Ｒ７＝−１．０４４ｍｍ、Ｒ８＝−１５．８０９、Ｒ９＝２．５０１、Ｒ１０＝∞、Ｒ１１＝∞、Ｒ１２＝∞、Ｒ１３＝∞
＜光軸上の間隔＞
Ｄ１＝０．５５ｍｍ、Ｄ２＝１．５０ｍｍ、Ｄ３＝０．６０ｍｍ、Ｄ４＝０．５３ｍｍ、Ｄ５＝０．９８ｍｍ、Ｄ６＝１．０６ｍｍ、Ｄ７＝０．１０ｍｍ、Ｄ８＝１．２０ｍｍ、Ｄ９＝０．７５ｍｍ、Ｄ１０＝０．３０ｍｍ、Ｄ１１＝０．１５ｍｍ、Ｄ１２＝０．５０ｍｍ、Ｄ１３＝０．５０ｍｍ
＜屈折率（Ｎｄ）＞
Ｎ１＝１．９２２８６、Ｎ２＝１．７８８００、Ｎ３＝１．５２５１２、Ｎ４＝１．５２５１２、Ｎ５＝１．５１６８０、Ｎ６＝１．５１６８０
＜アッベ数（νｄ）＞
ν１＝１８．９、ν２＝４７．４、ν３＝５６．３、ν４＝５６．３、ν５＝６４．２、ν６＝６４．２
【００３３】
＜非球面係数の数値データ＞
＜Ｓ６面＞
ε＝−２．５０１５５７０、Ｄ＝−０．１６０１６１３、Ｅ＝０．４３４８６７７×１０−１、Ｆ＝−０．１３３６３１６×１０−１、Ｇ＝０．４７１１０７３×１０−２、Ｈ＝０．０００００００
＜Ｓ７面＞
ε＝０．２５４９２７９、Ｄ＝０．１０３１７９０、Ｅ＝−０．６３２８４２５×１０−１、Ｆ＝０．３４６６５８９×１０−１、Ｇ＝−０．９１３０４６４×１０−２、Ｈ＝０．１１５０９５８×１０−２
＜Ｓ８面＞
ε＝１．０００００００、Ｄ＝０．２５５５９４４×１０−１、Ｅ＝−０．３６７８５６１×１０−２、Ｆ＝０．２３１９６３５×１０−３、Ｇ＝−０．５４０６６２５×１０−５、Ｈ＝０．０００００００
＜Ｓ９面＞
ε＝−２０．３０６２０００、Ｄ＝−０．１７７５９５０×１０−１、Ｅ＝０．３８６９７５６×１０−２、Ｆ＝−０．４６３６６６２×１０−３、Ｇ＝０．２２９６９３２×１０−４、Ｈ＝−０．３８３８５７９×１０−６
【００３４】
この実施例１における球面収差、非点収差、歪曲収差（ディストーション）、倍率色収差に関する収差線図は図３に示すような結果となる。尚、図３において、Ｓはサジタル平面での収差、Ｍはメリジオナル平面での収差を示す。
この実施例１によるレンズ仕様によれば、レンズ系の全長（ＴＬ）が６．５１ｍｍ、Ｆナンバーが２．８０の明るさをもち、球面収差、非点収差、歪曲収差、倍率色収差が良好に補正された光学性能の高い、薄型で小型の撮像レンズが得られる。
【実施例２】
【００３５】
実施例２における条件式（１）〜（７）の数値データ、第１レンズ１〜第４レンズ４の主な仕様諸元、種々の数値データ（設定値）は以下の通りである。
＜条件式の値＞
（１）ＴＬ／ｆ＝８．６０／６．９７＝１．２３
（２）│ν２−ν１│＝５４．７−１８．９＝３５．８
（３）Ｒ２／ｆ＝２．５０／６．９７＝０．３６
（４）│Ｒ６│／│Ｒ７│＝１．４８／１．１０＝１．３４
（５）│Ｒ８│／│Ｒ９│＝７２．１８／２．８１＝２５．６８
（６）ｆ３／ｆ＝４．５９／６．９７＝０．６６
（７）ｆ４／ｆ＝−５．６０／６．９７＝−０．５９
【００３６】
＜仕様諸元＞
物体距離＝無限大、レンズ系の焦点距離（ｆ）＝６．９７ｍｍ、Ｆナンバー＝２．８０、射出瞳位置＝−５．１９ｍｍ、レンズ系の全長（ＴＬ）＝６．３６ｍｍ、バックフォーカス（空気換算）＝２．１５ｍｍ、画角（２ω）＝５３．０°、ディストーション（最大値）＝１．９６％
＜曲率半径＞
Ｒ１＝３．４２０ｍｍ、Ｒ２＝２．５００ｍｍ、Ｒ３＝８．０５２、Ｒ４＝∞、Ｒ５＝∞、Ｒ６＝−１．４７６ｍｍ、Ｒ７＝−１．１００ｍｍ、Ｒ８＝７２．１８１、Ｒ９＝２．８１１、Ｒ１０＝∞、Ｒ１１＝∞、Ｒ１２＝∞、Ｒ１３＝∞
＜光軸上の間隔＞
Ｄ１＝０．６０ｍｍ、Ｄ２＝１．５０ｍｍ、Ｄ３＝０．６０ｍｍ、Ｄ４＝０．５０ｍｍ、Ｄ５＝１．００ｍｍ、Ｄ６＝０．８６ｍｍ、Ｄ７＝０．１０ｍｍ、Ｄ８＝１．２０ｍｍ、Ｄ９＝０．９７ｍｍ、Ｄ１０＝０．３０ｍｍ、Ｄ１１＝０．１５ｍｍ、Ｄ１２＝０．５０ｍｍ、Ｄ１３＝０．５０ｍｍ
＜屈折率（Ｎｄ）＞
Ｎ１＝１．９２２８６、Ｎ２＝１．７２９１６、Ｎ３＝１．５２５１２、Ｎ４＝１．５２５１２、Ｎ５＝１．５１６８０、Ｎ６＝１．５１６８０
＜アッベ数（νｄ）＞
ν１＝１８．９、ν２＝４７．４、ν３＝５６．３、ν４＝５６．３、ν５＝６４．２、ν６＝６４．２
【００３７】
＜非球面係数の数値データ＞
＜Ｓ６面＞
ε＝０．２９９４４２８、Ｄ＝−０．７９３６４５８×１０−１、Ｅ＝０．３９２９２２１×１０−１、Ｆ＝−０．２４３８７６４×１０−１、Ｇ＝０．１０３０４０５×１０−１、Ｈ＝０．０００００００
＜Ｓ７面＞
ε＝０．３７４１１５７、Ｄ＝０．６４６７２６３×１０−１、Ｅ＝−０．３４３９９３４×１０−１、Ｆ＝０．２７８７２７５×１０−１、Ｇ＝−０．９７２８１７２×１０−２、Ｈ＝０．１９４２１２１×１０−２
＜Ｓ８面＞
ε＝１．０００００００、Ｄ＝０．２４２１７４７×１０−２、Ｅ＝０．８０３０３９７×１０−５、Ｆ＝−０．１０７４１６２×１０−３、Ｇ＝０．７３９５４８１×１０−５、Ｈ＝０．０００００００
＜Ｓ９面＞
ε＝−１５．８５７６６００、Ｄ＝−０．２４５５６７７×１０−１、Ｅ＝０．４３２４３２３×１０−２、Ｆ＝−０．５５３１９４７×１０−３、Ｇ＝０．３５５９４９２×１０−４、Ｈ＝−０．１０５００８０×１０−５
【００３８】
この実施例２における球面収差、非点収差、歪曲収差（ディストーション）、倍率色収差に関する収差線図は図４に示すような結果となる。尚、図４において、Ｓはサジタル平面での収差、Ｍはメリジオナル平面での収差を示す。
この実施例２によるレンズ仕様によれば、レンズ系の全長（ＴＬ）が６．３６ｍｍ、Ｆナンバーが２．８０の明るさをもち、球面収差、非点収差、歪曲収差、倍率色収差が良好に補正された光学性能の高い、薄型で小型の撮像レンズが得られる。
【産業上の利用可能性】
【００３９】
以上述べたように、本発明の撮像レンズは、超小型及び薄型で４００万画素以上の高密度の撮像素子に対応し得る高い光学性能を確保できるため、携帯電話機、ＰＤＡ等のモバイルカメラ、デジタルスチルカメラ、デジタルビデオカメラ等の撮像レンズとして適用できるのは勿論のこと、固定式のカメラの撮像レンズ、あるいはその他の用途に用いられるカメラの撮像レンズとしても有用である。
【図面の簡単な説明】
【００４０】
【図１】本発明に係る撮像レンズの一実施形態を示す概略構成図である。
【図２】図１に示す撮像レンズの光路図である。
【図３】実施例１における、球面収差、非点収差、歪曲収差、倍率色収差を示す収差図である。
【図４】実施例２における、球面収差、非点収差、歪曲収差、倍率色収差を示す収差図である。
【符号の説明】
【００４１】
１  第１レンズ
２  第２レンズ
３  第３レンズ
４  第４レンズ
ＳＴ  シャッタ
ＡＰ  開口絞り
Ｐ  像面
Ｌ  光軸
ＴＬ  レンズ系の全長
ｆ  レンズ系の焦点距離
ｆ３  第３レンズの焦点距離
ｆ４  第４レンズの焦点距離
ν１  第１レンズのアッベ数
ν２  第２レンズのアッベ数
【図１】
2006309043.tif 000003
【図２】
2006309043.tif 000004
【図３】
2006309043.tif 000005
【図４】
2006309043.tif 000006